(57)【要約】【課題】  洗濯により水分を含み重くなったズボンを、ハンガーに簡単かつ容易に干すことができ、風などの外乱によってズボンが脱落することがないズボン乾燥用ハンガーを提供する。【解決手段】  フック２を有するハンガー主体３と、このハンガー主体３に着脱自在に装着可能な係止部材４とからなるものであって、前記係止部材４は、ハンガー主体３への取付け部５と、先端を幅広で扁平状６ａに形成したズボン掛け部６と、このズボン掛け部６と前記取付け部５とを連結する連結部７とから構成されている。【選択図】        図１
2005185298.tif 000002
【特許請求の範囲】
【請求項１】
フック部を有するハンガー主体と、このハンガー主体のフック部に着脱自在に装着可能な係止部材とからなるものであって、
前記係止部材は、フック部への取付け部と、先端部を幅広で扁平に形成したズボン掛け部と、このズボン掛け部と前記取付け部とを連結する連結部とから構成されていること
を特徴とするズボン乾燥用ハンガー。
【請求項２】
前記取付け部は、
フック部に掛け止めできるよう、リング状に結束形成されていること
を特徴とする請求項１に記載のズボン乾燥用ハンガー。
【請求項３】
前記取付け部は、
柔軟性を有する素材からなること
を特徴とする請求項１又は２に記載のズボン乾燥用ハンガー。
【請求項４】
前記取付け部は、
ハンガー主体の裏面中心部に設けられた係合凸部と係合する係合凹部を有し、前記係合凸部に対し回動自在に装着されること
を特徴とする請求項１に記載のズボン乾燥用ハンガー。
【請求項５】
前記連結部は、
柔軟性を有する素材からなること
を特徴とする請求項１〜４のいずれかに記載のズボン乾燥用ハンガー。
【発明の詳細な説明】
【技術分野】
【０００１】
この発明は、洗濯により水分を含み重くなったズボンを、折畳むことなく吊るして乾燥させるためのズボン乾燥用ハンガーに関するものである。
【背景技術】
【０００２】
洗濯したズボンを乾燥させる手段としては、物干し竿に掛けて洗濯バサミで固定したり、洗濯バサミが多数設けられた物干しを使用したり、ハンガーに掛けて干したりするなど、既存の洗濯干し道具を色々工夫して乾燥させているものであるが、洗濯により水分を含むとズボンの重量が大幅に増加するため、乾燥中に外れて脱落してしまうという問題が多々発生していた。
【０００３】
そこで、たとえば、下記に示す特許文献でも明らかなように、ズボンやスカート等の前部と後部のベルト通しを、引っ掛けて吊るズボンハンガー、掴み部を有する物干し竿掴みの先端に引っ掛け部を設けたズボン干し用物干し竿掴み、さらに、物干しハンガーの肩部を把持できるように形成された把持用洗濯バサミを細い紐の両端に装着し、上記細い紐の中央部に上記物干しハンガーのフック部に着脱できるように形成されたはめ輪を設けたひも付き洗濯バサミなどが提供されている。
【特許文献１】実開昭５８−１８８７５０号公報（特許請求の範囲、図１、図３）
【特許文献２】特開平１０−３０９３９８号公報（特許請求の範囲、図１、図２）
【特許文献３】特開平１１−１４６９９７号公報（特許請求の範囲、図２、図３）
【発明の開示】
【発明が解決しようとする課題】
【０００４】
しかしながら、前記特許文献１，２に示されているズボンハンガーは、ハンガーまたは洗濯バサミにズボンのベルト通しを引っ掛けるためのフック部を設けたものであって、どちらのフック部も先端まで平坦に形成されているため、引っ掛かりが弱く、洗濯したズボンの重量を支えることはできるものの、風などの外乱によって容易に脱落し、地面に落下するか、もしくはそのまま吹き飛ばされてしまうものであった。
【０００５】
また、前記特許文献３に示されているズボンハンガーは、洗濯により重くなったズボンを洗濯バサミによって、ハンガーにしっかりと保持することができるので、ズボンが風などの外乱によって脱落することがないものの、ズボン１本を干すために洗濯バサミ２つを使用しているため、コスト高になり易く、ズボンを干す一連の作業が煩瑣であるなどの問題を有していた。
【０００６】
この発明はかかる現状に鑑み、洗濯により水分を含み重くなったズボンをハンガーに簡単かつ容易に干すことができ、風などの外乱によってズボンが脱落することがないズボン乾燥用ハンガーを提供せんとするものである。
【課題を解決するための手段】
【０００７】
前記目的を達成するため、この発明の請求項１に記載の発明は、
フック部を有するハンガー主体と、このハンガー主体のフック部に着脱自在に装着可能な係止部材とからなるものであって、
前記係止部材は、フック部への取付け部と、先端部を幅広で扁平に形成したズボン掛け部と、このズボン掛け部と前記取付け部とを連結する連結部とから構成されていること
を特徴とするズボン乾燥用ハンガーである。
【０００８】
また、請求項２に記載の発明は、
請求項１に記載のズボン乾燥用ハンガーにおいて、
前記取付け部は、
フック部に掛け止めできるよう、リング状に結束形成されていること
を特徴とするものである。
【０００９】
また、請求項３に記載の発明は、
請求項１又は２に記載のズボン乾燥用ハンガーにおいて、
前記取付け部は、
柔軟性を有する素材からなること
を特徴とするものである。
【００１０】
また、請求項４に記載の発明は、
請求項１に記載のズボン乾燥用ハンガーにおいて、
前記取付け部は、
ハンガー主体の裏面中心部に設けられた係合凸部と係合する係合凹部を有し、前記係合凸部に対し回動自在に装着されること
を特徴とするものである。
【００１１】
また、請求項５に記載の発明は、
請求項１〜４のいずれかに記載のズボン乾燥用ハンガーにおいて、
前記連結部は、
柔軟性を有する素材からなること
を特徴とするものである。
【発明の効果】
【００１２】
この発明のズボン乾燥用ハンガーは、フック部を有するハンガー主体と、このハンガー主体に装着して使用する係止部材からなるものであって、この係止部材をハンガー主体への取付け部と、先端部を幅広で扁平に形成したズボン掛け部と、このズボン掛け部と前記取付け部とを連結する連結部とで構成されているので、取付け部の形状を選択することによって、係止部材をハンガー主体に簡単かつ容易に装着させることができる。
【００１３】
特に、この発明のズボン乾燥用ハンガーにおいては、ハンガー主体への取付け部をリング状に形成することによって、ハンガー主体に係止部材を簡単かつ容易に装着することができ、ハンガー主体に係合凸部を、係止部材の取付け部に係合凹部を、それぞれ設けることによって、ハンガー主体に対して係止部材を回動自在に装着することが可能で、係止部材のズボン掛け部の位置を気にすることなくズボンをハンガー主体に掛け止めることができる。
【００１４】
また、係止部材を構成するズボン掛け部は先端部を扁平状に形成しているので、ハンガー主体に掛け止めるズボンを、このズボン掛け部とハンガー主体の左右の肩部によって、３点でズボンの重量を確実に保持することができ、しかも、前記扁平状部により引っ掛けたズボンのベルト通しが外れることがないので、風などの外乱によってズボンがハンガーから脱落することがない。
【００１５】
また、この発明のズボン乾燥用ハンガーにおける係止部材は、ハンガー主体への取付け部と先端部を幅広で扁平に形成したズボン掛け部とを一体的に連結するに際し、この連結部を、柔軟性を有する素材で構成することによって、ベルト通しへのズボン掛け部の装着をきわめて容易に行うことができる。
【００１６】
さらに、この発明のズボン乾燥用ハンガーにおける取付け部は、ハンガー主体のフック部に掛け止めできるように全体をリング状とするとともに、柔軟性を有する素材とすることによって、前記フック部に掛け止める際、ハンガー主体の形状に沿うように変形して、ズボン掛け部がハンガー主体から前後方向に出っ張ることがないので、限りある物干しスペースを有効に利用することができる。
【００１７】
さらにまた、ハンガー主体への係止部材の装着を着脱自在とすれば、係止部材は何時でもハンガー主体から取り外すことが可能で、収納にも場所を占めることがないなど実用性に優れたものである。
【発明を実施するための最良の形態】
【００１８】
以下、この発明にかかるズボン乾燥用ハンガーの、最良の実施の形態を添付の図面に基づいて具体的に説明するが、この発明は、その要旨を変更しない範囲内において変更することが可能なもので、実施の形態にのみ限定されるものではない。
【００１９】
この発明のズボン乾燥用ハンガーは、図１に示すように、フック部２を有するハンガー主体３と、このハンガー主体３に着脱自在に装着可能な係止部材４とから構成されるものである。
【００２０】
前記ハンガー主体３は、合成樹脂製の所要長さからなる緩やかな円弧を描くアーム部材３ａの上面中心部にフック部２を一体的に形成したものであるが、中心部にフック部２を有するものであれば、その材質や形状については特段の制限はないものである。
【００２１】
このハンガー主体３に装着する係止部材４は、前記フック部２に着脱自在に掛け止めて使用するタイプ（図１〜図２）と、ハンガー主体３に一体的に装着して使用するタイプ（図３）のものがある。
【００２２】
前記フック部２に着脱自在に掛け止めて使用する係止部材４は、図１〜図２で明らかなように、ハンガー主体３への取付け部５と、先端部を幅広で扁平に形成したズボン掛け部６と、このズボン掛け部６と前記取付け部５とを連結する連結部７とから構成されているもので、前記取付け部５は、ハンガー主体３のフック部２に掛け止めできるよう縦長のリング状に形成されている。
【００２３】
また、前記ズボン掛け部６は、ズボンのベルト通しに引掛けることができ、人為的な操作なくして外れることがないものであれば、その形状に特段の制限はないが、全体がU字状をなし、その先端部を図示のように扁平状６ａとすることによって、風などの外乱によって外れようとするベルト通しを、この扁平状６ａの部分で受け止めて、ズボンがハンガー主体３から脱落することを防ぐことができる。
【００２４】
かかるズボン掛け部６と、前記リング状の取付け部５とは、連結部７によって一体化されるもので、この連結部７は、前記の両者を連結することができるものであれば、その材質に特段の制限はないが、前記ズボン掛け部６をベルト通しに通し易くするとともに、ズボンによって位置が異なるベルト通しに対応することができるように、軟質の合成ゴム、フォームラバーなど柔軟性を有する素材で構成することが好ましい。
【００２５】
なお、前記取付け部５は、ハンガー主体３のフック部２に掛け止めできるように全体がリング状をなすものであるが、前記フック部２に掛け止めるに際し、ハンガー主体３の形状に合わせて変形し、ズボン掛け部６がハンガー主体３から前後方向に出っ張ることがないように、軟質の合成ゴム、フォームラバーなど柔軟性を有する素材で形成することが好ましい。
【００２６】
かかる構成のズボン乾燥ハンガー１は、まず、ハンガー主体３のフック部２に係止部材４を構成するリング状の取付け部５を掛け止め、係止部材４をハンガー主体２に装着するが、その際、前記係止部材４の可動性をハンガー主体３で阻害することがないよう、この取付け部５と連結部７との接合部が、ハンガー主体３の裏面部よりも下方に位置するように、取付け部５の長さを調整することが好ましい。
【００２７】
ついで、図１に示すように、干そうとするズボン２０のウエスト部２１を、ズボン２０の臀部側の中心が、ハンガー主体３の中心部に位置するようにさせてハンガー主体３に掛け止めるとともに、ウエスト部２１に沿って等ピッチで設けられたベルト通し２２の内、臀部側の中心線上に位置するベルト通し２２にズボン掛け部６の先端部を挿通させると、風などによってハンガー主体３が左右に揺れても、あるいは下方から風で煽られ、ズボン２０が上方に浮き上がっても、ズボン掛け部６の先端部が扁平状６ａに形成されているので、ハンガー主体３からズボン２０が外れることがない。
【００２８】
なお、前記した手順は、ズボン２０を干す場合の一例を示したものにすぎず、干す手順にはなんら制限がないことは当然である。
【００２９】
一方、図３に示すズボン乾燥用ハンガー１０は、ハンガー主体１１に一体的に装着して使用するタイプのもので、ハンガー主体１１は上面中央部にフック部１２を有するとともに、当該フック部１２の下方の、ハンガー主体１１の裏面部に、先端部に係合部１３ａを有する支軸１３ｂを一体的に設けて係合凸部１３としたものである。
【００３０】
このハンガー主体１１に装着する係止部材１４は、先端部を扁平状１５ａに形成したＵ字状のズボン掛け部１５と、前記係合凸部１３に対して回動自在に装着される取付け部１６と、この取付け部１６と前記ズボン掛け部１５とを連結する連結部１７とから構成されたもので、前記の取付け部１６は、前記係合凸部１３と係合する係合凹部が形成されたものである。
【００３１】
したがって、この係止部材１４をハンガー主体１１に装着するには、まず、係止部材１４の取付け部１６の上面に形成された係合凹部を、ハンガー主体１１の裏面中央に突設された係合凸部１３に対して押圧すると、樹脂で形成された取付け部１６の係合凹部が押し開かれ、係合凹部内に係合凸部１３が没入し、一体化するものである。
【００３２】
その際、係合凹部の先端部に、係合凸部１３の係合部１３ａと係合する係合段部を形成しておけば、両者は互いに離脱することがなく、しかも互いに回動自在とすることができるので、ズボンを干す場合、係止部材１４のズボン掛け部１５の先端位置を気にすることなく、ズボンをハンガー主体１１に掛け止めることができる。
【００３３】
なお、ズボンを干す手順は前記したとおりで、ハンガー主体１１への係止部材１５の装着は、前記の実施の形態に限定されるものではなく、ハンガー主体１１側に係合凹部を形成し、係止部材１４の取付け部１６側に前記係合凹部と係合可能な係合凸部を形成してもよいことは当然のことである。
【図面の簡単な説明】
【００３４】
【図１】この発明のズボン乾燥用ハンガーの好適な一例の使用状態を示す斜視図である。
【図２】図１における係止部材の正面図である。
【図３】ズボン乾燥用ハンガーの他の例を示す一部拡大図である。
【符号の説明】
【００３５】
１，１０    ズボン乾燥用ハンガー
２，１２    フック部
３，１１    ハンガー主体
４，１４    係止部材
５，１６    取付け部
６，１５    ズボン掛け部
７，１７    連結部
２０        ズボン
２２        ベルト通し
【図１】
2005185298.tif 000003
【図２】
2005185298.tif 000004
【図３】
2005185298.tif 000005